(57)【要約】      （修正有）【課題】ドアノブに掛ける収納装置を提供する。【解決手段】板状本体１の上端に近い位置に、ドアノブに掛ける掛け孔１１を有し、本体の一側辺は掛け孔まで貫通するノッチ１２を設置し、それを開いて、掛け孔に両端が固定された吊るし棒を通過させることができる。本体の第一面は少なくとも一つの透明袋１３と置物袋１４を設置し、透明袋はカードを挿入し、透明袋から見えるようにできる。本体の第二面は少なくとも一つのカードを挟むクリップを設置し、本体第一面、或いは、第二面はベルト１５を設置し、ベルトの両端は、それぞれ、相互に粘着する第一粘着素子１５１と第二粘着素子１５２を設置する。ベルトはキーホルダーやその他のストラップを通過し、第一と第二粘着素子により相互に粘着固定する。【選択図】図１
0003149591.tif 000002
【実用新案登録請求の範囲】
【請求項１】
ドアノブに掛ける収納装置であって、平面の板状本体からなり、前記本体は両側に第一面と第二面を有し、上端に近い位置に掛け孔を有し、前記本体の一側辺は前記掛け孔まで貫通するノッチを設置し、前記掛け孔上方の本体内に磁石を設置し、前記第一面は少なくとも透明袋と置物袋を有し、前記透明袋の一側はカードを挿入することができる開口を有し、前記第二面は少なくとも一つのクリップを設置し、前記第一面、或いは、第二面は更にベルトを設置し、前記ベルトの両端はそれぞれ、相互に粘着する第一粘着素子と第二粘着素子を有して、前記ベルト両端を連接して、リングを形成することを特徴とするドアノブに掛ける収納装置。
【請求項２】
前記置物袋は複数あり、上から下に配列され、前記置物袋の上端は弧状であることを特徴とする請求項１に記載のドアノブに掛ける収納装置。  
【請求項３】
前記置物袋は複数あり、上から下に配列され、前記置物袋の上端は階段状であることを特徴とする請求項１に記載のドアノブに掛ける収納装置。
【考案の詳細な説明】
【技術分野】
【０００１】
本考案は、ドアノブに掛けられ、小型物品を収納することができる収納装置に関するものである。
【背景技術】
【０００２】
現在、市販されている収納装置は種類が多いが、大まかには落地式と吊り掛け式の二種類ある。公知の吊り掛け式の収納装置は単一機能しかないので、使用者は同じ収納装置上での多機能使用ができず、このような収納装置は付加価値がない。また、公知の吊り掛け式収納装置は壁に吊り掛けて使用し、その他の場所に吊り掛けるような設計にされていない。更に、ドアノブは非常に目立つ位置であるので、収納装置を掛けて使用できれば、空間の充分な利用が可能で、物品の取り出し、使用、展示としても好ましい効果がある。
【考案の概要】
【考案が解決しようとする課題】
【０００３】
本考案は、ドアノブに掛けて使用する収納装置を提供し、多機能使用を可能にすることを目的とする。
【課題を解決するための手段】
【０００４】
本考案のドアノブに掛けて使用する収納装置は、板状本体の上端に近い位置に、ドアノブに掛ける掛け孔を有する。本体の第一面は少なくとも一つの透明袋と置物袋を設置し、透明袋はカードを挿入し、透明袋から見えるようにできる。本体の第二面はカードを挟む少なくとも一つのクリップを設置し、本体第一面、或いは、第二面はベルトを設置し、ベルトの両端は、それぞれ、相互に粘着する第一粘着素子と第二粘着素子を設置する。ベルトはキーホルダーやその他のストラップを通過し、第一と第二粘着素子により相互に粘着固定する。
本考案は、本体一側辺に掛け孔まで貫通するノッチを設置し、両端が固定された吊るし棒が、直接、掛け孔を通過することができない時、ノッチを開いて、吊るし棒を通過させ、掛け孔に挿入して掛けることができる。
本考案は、本体に磁石を設置し、金属材料でなるヘアアクセサリや、クリップ等の小物を直接、その上に吸着させることもできる。
【考案の効果】
【０００５】
ドアノブは非常に目立つ位置であるので、本考案の収納装置はドアノブに掛けて使用でき、空間の充分な利用が可能で、物品の取り出し、使用、展示としても好ましい効果がある。
【図面の簡単な説明】
【０００６】
【図１】本考案の収納装置構造の立体図である。
【図２Ａ】本考案の第一実施例による収納装置とドアノブの使用関係立体図である。
【図２Ｂ】本考案の第一実施例による収納装置をドアノブに設置した後の立体図である。
【図３Ａ】本考案の第一実施例による収納装置のノッチを開いて掛け棒を挿入する状態の立体図である。
【図３Ｂ】図３Aの収納装置を掛け棒に掛けた後の状態を示す立体図である。
【図４Ａ】本考案の第一実施例の収納装置の前面構造の前視平面図である。
【図４Ｂ】本考案の第一実施例の収納装置の後面構造の後視平面図である。
【図５Ａ】本考案の第二実施例の収納装置の前面構造の前視平面図である。
【図５Ｂ】本考案の第二実施例の収納装置の後面構造の後視平面図である。
【図６Ａ】本考案の第三実施例の収納装置の前面構造の前視平面図である。
【図６Ｂ】本考案の第三実施例の収納装置の後面構造の後視平面図である。
【実施例１】
【０００７】
図１、図４A、及び、図４Bは、本考案のドアノブに掛けて使用する収納装置を示す図で、平面の板状本体１からなる。本体１は、硬質の板体外部が各種柄や模様、彩色を施された布材で被覆されて、本体の外観を美しくしている。本体１は、両側に第一面と第二面を有する。本体１の上端位置に円形かその他の適当な形状の掛け孔１１を有する。この他、本体１の一側辺に掛け孔１１まで貫通するノッチ１２を設置してもよい。掛け孔１１上方の適当な位置に、状況に応じて長方形やその他の形状の磁石１７を設置してもよい。磁石と板体は布材により被覆される。本体１の第一面は少なくとも一つの透明袋１３と複数の置物袋１４を設置する。透明袋１３の一側は開口１３１を設置する。本考案の好ましい具体例において、開口１３１は透明袋１３の左側か右側にある。複数の置物袋１４は上から下に配列され、それらの開口は上方に位置する。本体１第一面の下方にベルト１５を設置し、ベルト１５の両端はそれぞれ、第一粘着素子１５１と第二粘着素子１５２を有する。ベルト１５の一端は本体１に縫製で固定され、もう一端は自由端で、ベルト１５の両端は第一粘着素子１５と第二粘着素子１５２により相互に粘着固定されて、リングを形成する。図４Bで示されるように、本体１の第二面は少なくとも一つのクリップ１６を設置することができる。
図２Aと図２Bは本考案の使用方式を示し、直接、本体１の掛け孔１１をドアノブ２上に掛け、メモやメッセージ、カード３等を透明袋１３の開口１３１から透明袋１３に挿入する。各置物袋１４内は化粧品ケース５、携帯電話６、文房具７等の物品を収納することができる。キーホルダー４、或いは、ストラップ等の小物がある場合、ベルト１５の第一粘着素子１５１と第二粘着素子１５２を分離させ、ベルト１５をキーホルダー４やストラップを通過させ、更に、第一粘着素子１５１と第二粘着素子１５２を相互に粘着して、掛けることができる（図２Bで示される）。本体１第二面に設置されたクリップ１６はベルト状素子の両端を本体１に縫製して固定してもので、両端間は手紙が通過する設計になっており、このベルト状素子は弾性材料、或いは、非弾性材料からなる。使用者は直接、手紙８や請求書などの文献をクリップ１６に挿入して保存することができる。
図３Aと図３Bを参照すると、本考案はドアノブに掛けて使用する以外に、吊るし棒９に掛けることもできる。吊るし棒９の両端は通常壁面や棚、その他の物体に固定されているので、吊るし掛けの功能を達成するため、ノッチ１２を開いて、使用者は直接吊るし棒９をノッチ１２から通過させて、掛け孔１１中に挿入し、吊るし掛けができる。
【実施例２】
【０００８】
本考案の置物袋開口は、図１〜図４Bで示される水平形状以外に、図５Aで示されるように、第一面（前面）を弧状に、透明袋１３を小さく設計してもよい。また、図５Bで示されるように、第二面を階段状に設計してもよい。
【実施例３】
【０００９】
図６Aと図６Bで示されるように、本考案の置物袋１４開口は、本体１の第一面（前面）と第二面（後面）に同時に設置し、置物袋の開口を傾斜状に設計し、透明袋１３を本体１の最下方に設計することができる。ベルト１５は本体の第二面に設置することもできる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１０】
平面の板状本体１
カード３
化粧品ケース５
携帯電話６
文房具７
吊るし棒９
掛け孔１１
ノッチ１２
透明袋１３
開口１３１
置物袋１４
ベルト１５
第一粘着素子１５１
第二粘着素子１５２
クリップ１６
磁石１７
【図１】
0003149591.tif 000003
【図２Ａ】
0003149591.tif 000004
【図２Ｂ】
0003149591.tif 000005
【図３Ａ】
0003149591.tif 000006
【図３Ｂ】
0003149591.tif 000007
【図４Ａ】
0003149591.tif 000008
【図４Ｂ】
0003149591.tif 000009
【図５Ａ】
0003149591.tif 000010
【図５Ｂ】
0003149591.tif 000011
【図６Ａ】
0003149591.tif 000012
【図６Ｂ】
0003149591.tif 000013